(57)【要約】      （修正有）【課題】板状やＬ字型の製品に使用される組仕切りで、製品保持力が高く、少ない材料で作成でき、折り畳みも可能な組仕切りを提供する。【解決手段】仕切り板２と底板３をＡ字型に組み合わせて使用する組仕切りで、仕切り板には製品の厚さに合わせた切抜部２ａと製品同士の間隔を作る製品保持部分と切抜部の両端を広げて抜け防止となる部分２ｃを有し、これを二つ折りにして、仕切りの形状に合わせて穴の開けられた底板に差込み、端末の足２ｄを広げて組み合わせ部分をかみ合わせると抜け落ちのない組仕切りとなり、かつ仕切りを二つ折りにして倒すと折り畳むことが可能となる。【選択図】図１
0003158576.tif 000002
【実用新案登録請求の範囲】
【請求項１】
仕切り板（２）と底板（３）を組み合わせて使用する組仕切りで、前記仕切り板（２）は折り曲げ罫線と、その罫線に直交する切抜部（２ａ）と、切抜部（２ａ）に挟まれた製品保持部（２ｂ）を有し、前記底板（３）は穴（３ｂ）を有し、仕切り板（２）を折り曲げ罫線で二つ折りにして、製品保持部（２ｂ）を底板（３）の穴（３ｂ）に通した後、仕切り板を広げてＡ字型に組み合わせたことを特徴とする組仕切り。
【請求項２】
仕切り板（２）の切抜部（２ａ）は両端に幅広部（２c）を有し、底板（３）の穴（３ｂ）は四角形の角を落とした略四角形状であることを特徴とする請求項１に記載の組仕切り。
【請求項３】
仕切り板（２）の切抜部（２ａ）の中央部分が製品の形状に合わせた形状からなる請求項１または２に記載の組仕切り。
【考案の詳細な説明】
【技術分野】
【０００１】
本考案は、複数の製品を区画して収納する包装箱に用いられる組仕切りの形状に関するものである。
【背景技術】
【０００２】
従来、複数の物を包装箱に収納する場合、図８に示すような組仕切りが箱に組み込まれ使用されている。この組仕切りは垂直方向に形成したスリットを介して、縦仕切り板９ａと横仕切り板９ｂを直角に交差させて、上下方向から組み合わせる形状であった。
【０００３】
通常、仕切りは輸送や保管の効率を上げるために扁平に折り畳む必要がある。そのため、仕切りによって形成される区画の基本形状は四角形となる。
【０００４】
箱に収納する製品の数に合わせて、仕切り板の枚数も増える。
【先行技術文献】
【特許文献】
【０００５】
【特許文献１】特開２００８−８１１４７号公報
【考案の概要】
【考案が解決しようとする課題】
【０００６】
しかし、従来の区画の四角い組仕切りでは、製品の形状がＬ字型のような場合には製品の保持ができず、仕切りの中で製品がガタつく。このような製品に対して保持力を高めた組仕切りを提供することを目的とする。
【０００７】
薄い板状の製品の場合は１箱あたりの収納数が多くなるため、仕切り板の枚数も多くなり、組み立て工数も多くなる。このような製品に対して、材料を減らし安価に作成できる組仕切りを提供することを目的とする。
【課題を解決するための手段】
【０００８】
本考案は、山形に折られた仕切り板２と底板３をＡ字型に組み合わせて使用する組仕切りで、仕切り板は製品の厚さに合わせた切抜部２ａと製品を保持し製品同士の間隔を決める部分２ｂと切抜部の両端を広げて抜け防止となる部分２ｃを有し、これを二つ折りにして、仕切りの形状に合わせて穴の開けられた底板に差込み、端末を広げて組み合わせると抜け落ちのない組仕切りとなり、かつ仕切りを二つ折りにして倒すことで折り畳むことが可能となることを要旨とする。
【考案の効果】
【０００９】
製品の収納方法が仕切り板の切抜部に製品を差し込む方法になるため、切抜部の形状とピッチを調整することにより、Ｌ字型のような製品に対して保持力が向上し、ガタつきを抑えることができる。
【００１０】
横仕切り板をなくすことにより、収納数が増加しても仕切り板の枚数は変わらないため、材料の増加を抑えることができる。
【図面の簡単な説明】
【００１１】
【図１】この考案の実施形体の１例を示す斜視図である。
【図２】仕切り板  平面図
【図３】底板  平面図
【図４】この考案の仕切りに製品を入れた状態の１例を示す斜視図である。
【図５】この考案の仕切りを折り畳んだ形状を示す斜視図である。
【図６】製品形状に合わせた穴形状による実施形体の１例を示す斜視図である。
【図７】図６の実施形態に製品を入れた状態の１例を示す斜視図である。
【図８】従来技術を示す斜視図である。
【考案を実施するための形態】
【００１２】
以下添付の図面にしたがってこの考案を詳細に説明する。
【００１３】
この考案の組仕切りの素材は板紙、段ボールもしくはプラ段等の樹脂シートであり、曲げることが可能であり、かつ製品を支えて自立可能な程度の強度を持った素材が適している。また、曲げられたときに元に戻る力が働く素材がより適している。
【００１４】
図１は本考案の実施形体の１例を示す斜視図である。
本考案の組仕切りは少なくとも１枚の底板と山形に折り曲げられた１枚の仕切り板をＡ字型に組み合わせて使用する。
【００１５】
図２と図３に記載された寸法Ａ，Ｂ，Ｃはそれぞれ略同一となり、寸法Ｃは寸法Ａよりも大きくする。
【００１６】
図２は本考案の仕切り板の平面図を示す。
仕切り板は山形に折り曲げるために中央に罫線を入れ、罫線と直交する方向に製品を入れるための切抜部２ａと製品を保持し製品間の間隔を作る部分２ｂと切抜部の両端の幅を広げた形状で抜け防止の役割を果たす部分２ｃと組み合わせたときに足となる部分２ｄからなる。２ａと２ｃからなる抜き穴の形状は切抜部の両端が広がったI字形となり、それが製品の間隔に合わせて並んだ形状となる。
【００１７】
仕切り板２の切抜部の長さは製品を支えるために必要な高さと足の広がりからなる稜線の長さとなり、幅(寸法Ａ）は差し込まれる製品の厚さに合わせて決める。切抜部の間隔（寸法Ｂ）は製品を差し込んだときに製品同士がぶつからない間隔、または加工上必要な最小幅に合わせる。
【００１８】
図３は本考案の底板の平面図を示す。
底板は製品を支える土台部分３ｄと仕切り板の切抜部の中に入り製品を受ける部分３ａと組み立ての時に仕切り板が通る部分３ｂと３ａの両端の幅を広げた形状で抜け防止の役割も果たす部分３ｃからなる。３ｂと３ｃからなる抜き穴の形状は四角の角を落とした形状となり、それが製品の間隔に合わせて並んだ形状となる。
【００１９】
底板の穴の長さは組み合わせたときの仕切り板２の足が広がる幅となり、幅は仕切り板の製品保持部分２ｂの幅にあわす。
【００２０】
仕切り板２と底板３の組み合わせ部分の幅(寸法Ｃ)は切抜部の幅(寸法Ａ)よりも大きくする。仕切り板と底板を組み合わせて仕切り板の足２ｄを広げると組み合わせ部分同士がかみ合う状態になる。この状態で仕切り板を抜こうとしても、底板の組み合わせ部分３ｃの板が仕切り板の切抜部２ａよりも大きいために仕切り板が抜けなくなる。
【００２１】
なお、切抜部の幅から組み合わせ部分の幅に変わる部分をテーパーにしておくことで、組み合わせ作業や折り畳まれた仕切りを広げる作業の効率がよくなる。
【００２２】
仕切り板２と底板３の組み合わせ要領は、仕切り板を二つ折りにして製品保持部分２ｂが底板の穴３ｂを通るようにして差込む。切抜部の端末まで差し込んだ後、仕切り板と底板の組み合わせ部分同士がかみ合うように仕切り板の足２ｄを広げる。すると図１に示すように仕切り板と底板がＡ字型に組み合わされた形状となる。
【００２３】
通常折り曲げられた部分には元に戻ろうとする力が働くために、組み合わせ完了後は仕切り板の足には広がる方向の力が働き、底板の穴３ｂの淵に押し付けられることになる。これにより、組み合わせ部分はズレにくくなる。また、製品を入れると製品の重量により底板が仕切り板に押し付けられる状態となるため、より安定した状態になる。
【００２４】
図４は本考案の仕切りに製品を入れた状態の１例を示す斜視図である。
図のようなＬ字型や板に突起がついているような形状の場合でも、切抜部分２ａと製品を保持する部分２ｂの幅を調整することにより、製品同士が干渉せずに製品を保持することが可能となる。
【００２５】
図５は本考案の仕切りが折り畳まれた状態を示す斜視図である。
折り畳む場合は仕切り板の片側をもう一方に寄せるように二つ折りにして、底板のほうへ倒す。このとき片側の組み合わせ部分がずれないようにすることで、折り畳んだ状態でも仕切りと底板は外れない。
【００２６】
広げる場合は折り畳む場合の逆の手順を行う。
【００２７】
図６は本考案の切抜部の形状を変えた場合の１例を示す斜視図である。図２で示す切抜部の形状は単純な直線であるが、寸法Ａ，Ｂ，Ｃの関係を守れば、穴の中央部分を製品の形状に合わせた穴形状に変えることも可能である。
【００２８】
図７は図６の組み仕切りに製品を入れた１例を示す斜視図である。
【００２９】
図６と図７に示すように、切抜部の形状を製品の形状に合わせた形に変えることにより、薄い板状の製品以外でも効果的に製品を保持することが可能となる。
【符号の説明】
【００３０】
２    仕切り板
２ａ  製品が差し込まれる切抜部分
２ｂ  製品を保持する部分
２ｃ  底板との組み合わせ部分
２ｄ  足部分
３    底板
３ａ  切抜部内で製品を受ける部分
３ｂ  仕切り板が通る穴
３ｃ  仕切り板との組み合わせ部分
３ｄ  土台部分
４    製品(１)
６    製品形状に合わせた穴形状による仕切り板
７    製品形状に合わせた穴形状による底板
８    製品(２)
９ａ  従来技術による縦仕切り板
９ｂ  従来技術による横仕切り板
寸法Ａ  切抜部の幅
寸法Ｂ  製品間の間隔
寸法Ｃ  組み合わせ幅
【図１】
0003158576.tif 000003
【図２】
0003158576.tif 000004
【図３】
0003158576.tif 000005
【図４】
0003158576.tif 000006
【図５】
0003158576.tif 000007
【図６】
0003158576.tif 000008
【図７】
0003158576.tif 000009
【図８】
0003158576.tif 000010